(57)【要約】【課題】  複合機の圧板を使用して領収書等を電子化データに変換して電子申請する場合において、電子申請を行ないたい書類の枚数分だけ１まとめにして個人認証を行なうことができるようにする。【解決手段】  個人の認証データが格納されたＩＣカードとデータの授受を行ない、上記ＩＣカードに格納されている個人の認証データに基づいてユーザー認証を行なうユーザー認証手段と、書類をスキャンして電子化データを生成する電子化データ生成手段と、上記電子化データ生成手段を用いて書類スキャンする操作が連続して行なわれた際に、上記一連のスキャン操作によって生成された複数のジョブについては１まとめにしてグループ化するジョブグループ化手段とを設け、上記ジョブグループ化手段により１まとめにされた複数のジョブについては、上記ユーザー認証手段によるユーザー認証をまとめて行なうようにする。【選択図】  図１
2005157879.tif 000002
【特許請求の範囲】
【請求項１】
個人の認証データが格納されたＩＣカードとデータの授受を行ない、上記ＩＣカードに格納されている個人の認証データに基づいてユーザー認証を行なうユーザー認証手段と、
書類をスキャンして電子化データを生成する電子化データ生成手段と、
上記電子化データ生成手段を用いて書類スキャンする操作が連続して行なわれた際に、上記一連のスキャン操作によって生成された複数のジョブについては１まとめにしてグループ化するジョブグループ化手段とを具備し、
上記ジョブグループ化手段により１まとめにされた複数のジョブについては、上記ユーザー認証手段によるユーザー認証をまとめて行なうようにしたことを特徴とする電子化データ認証装置。
【請求項２】
上記電子化データを、回線を介して送信する電子化データ送信手段を有し、上記ジョブグループ化手段は、上記電子化データ送信手段により上記電子化データを送信する際に上記同一ユーザーの連続ジョブを同一ファイルとしてグループ化することを特徴とする請求項１に記載の電子化データ認証装置。
【請求項３】
上記ＩＣカード内には、個人のＩＤ情報、パスワード情報及びデータの暗号化、復号化用の個人鍵が格納されていることを特徴とする請求項１または２に記載の電子化データ認証装置。
【請求項４】
上記電子化データを暗号化する電子化データ暗号化手段を有し、上記電子化データ暗号化手段は、上記ＩＣカード内に格納されている理鍵により上記電子化データを暗号化することを特徴とする請求項３に記載の電子化データ認証装置。
【請求項５】
上記電子化データ生成手段が電子化データを生成する時間を計測する時間計測手段を有し、
上記電子化データ生成手段が上記電子化データを生成する間隔が所定の時間よりも大きくなった場合には上記ジョブグループ化手段によるグループ化を行なわないことを特徴とする請求項１〜４の何れか１項に記載の電子化データ認証装置。
【請求項６】
上記電子化データ暗号化手段によって暗号化された電子化データを格納する電子化データ格納手段と、
上記電子化データ格納手段によって格納された暗号データを復号化する復号化手段と、
上記復号化手段によって復号化された電子化データに出力用の画像処理を施す画像処理手段とを有することを特徴とする請求項１〜５の何れか１項に記載の電子化データ認証装置。
【請求項７】
上記ユーザー認証手段によるユーザー認証情報は、パスワードまたは指紋認証を含むバイオ認証であることを特徴とする請求項１〜６の何れか１項に記載の電子化データ認証装置。
【請求項８】
上記ＩＣカードは接触タイプまたは非接触タイプの何れかであることを特徴とする請求項１〜７の何れか１項に記載の電子化データ認証装置。
【請求項９】
上記ジョブグループ化手段によりグループ化されたファイルの構造は、ＩＤのヘッダー情報と、電子化データの中身とからなり、上記電子化データ暗号化手段により暗号化する際には、上記データの中身だけを暗号化することを特徴とする請求項４〜８の何れか１項に記載の電子化データ認証装置。
【請求項１０】
上記電子化データを送付した時刻の保証、本人であることを証明するための署名、及び送付した電子化データが異なるユーザーに使われないようにする仕組みをいれて、あて先に送信するセキュリティ手段を有することを特徴とする請求項１〜９の何れか１項に記載の電子化データ認証装置。
【請求項１１】
個人の認証データが格納されたＩＣカードとデータの授受を行ない、上記ＩＣカードに格納されている個人の認証データに基づき、認証手段を用いてユーザー認証を行なうユーザー認証工程と、
書類をスキャンして電子化データを生成する電子化データ生成工程と、
上記電子化データ生成工程において書類スキャンする操作が連続して行なわれた際に、上記一連のスキャン操作によって生成された複数のジョブについては１まとめにしてグループ化するジョブグループ化工程とを有し、
上記ジョブグループ化工程により１まとめにされた複数のジョブについては、上記認証手段によるユーザー認証をまとめて行なうようにしたことを特徴とする電子化データ認証方法。
【請求項１２】
個人の認証データが格納されたＩＣカードとデータの授受を行ない、上記ＩＣカードに格納されている個人の認証データに基づき、認証手段を用いてユーザー認証を行なうユーザー認証工程と、書類をスキャンして電子化データを生成する電子化データ生成工程と、上記電子化データ生成工程において書類スキャンする操作が連続して行なわれた際に、上記一連のスキャン操作によって生成された複数のジョブについては１まとめにしてグループ化するジョブグループ化工程とをコンピュータに実行させるコンピュータプログラムであって、
上記ジョブグループ化工程により１まとめにされた複数のジョブについては、上記認証手段によるユーザー認証をまとめて行なうようにしたことを特徴とするコンピュータプログラム。
【請求項１３】
上記請求項１２に記載のコンピュータプログラムを記録したことを特徴とするコンピュータ読み取り可能な記録媒体。
【発明の詳細な説明】
【技術分野】
【０００１】
本発明は、電子化データ認証装置、電子化データ認証方法、コンピュータプログラム及び記録媒体に関し、特に、複合機(マルチファンクションペリフェラル)を使用した際の個人情報のセキュリティ管理に関し、特に、電子納税やオフィスにて、領収書等を複合機で読み込み、自治体もしくはオフィス側で有する管理サーバー等に電子データとして送付するために用いて好適なものである。
【背景技術】
【０００２】
従来、領収書等を電子申請する場合の仕組みについては種々の技術が提案されている。上記電子申請を行なう場合に注意する事項は色々あるが、最も重要なことはセキュリティ対策である。上記セキュリティ対策は、電子申請の汎用的な技術を組み合わせることにより行なっている。例えば、特許文献１にて提案されている「画像処理装置」においては、ファクシミリ送信を行なう前にユーザー認証を行ない、承認されないユーザーの場合にはファクシミリ送信を不可能と表示する信号を発生するようにした技術が提案されている。
【０００３】
【特許文献１】特開昭５５−１１５１５７号公報
【発明の開示】
【発明が解決しようとする課題】
【０００４】
上記のような電子申請に伴って行なう個人認証は、１つのジョブ（Job）単位に個人認証を行なっている。したがって、複合機を利用して電子申請する場合においては、圧板を使用する毎に１つのジョブ（Job）と認識されて個人認証が行なわれていた。このため、領収書等の書類を電子申請する場合、オートフィーダーを使用して上記領収書等の書類を電子データに変換することができないので、圧板を使用して電子化データを生成する回数分だけ個人認証が行なわれ、上記個人認証が行なわれた回数だけジョブを送信したり出力したりしなければならない不都合があった。
【０００５】
本発明は上述の問題点にかんがみ、書類を電子化データに変換する操作が行なわれた際に、一連の操作に対しては１まとめにして個人認証を行なうことができるようにすることを目的とする。
【課題を解決するための手段】
【０００６】
本発明の電子化データ認証装置は、個人の認証データが格納されたＩＣカードとデータの授受を行ない、上記ＩＣカードに格納されている個人の認証データに基づいてユーザー認証を行なうユーザー認証手段と、書類をスキャンして電子化データを生成する電子化データ生成手段と、上記電子化データ生成手段を用いて書類スキャンする操作が連続して行なわれた際に、上記一連のスキャン操作によって生成された複数のジョブについては１まとめにしてグループ化するジョブグループ化手段とを具備し、
上記ジョブグループ化手段により１まとめにされた複数のジョブについては、上記ユーザー認証手段によるユーザー認証をまとめて行なうようにしたことを特徴としている。
また、本発明の他の特徴とするところは、上記電子化データを、回線を介して送信する電子化データ送信手段を有し、上記ジョブグループ化手段は、上記電子化データ送信手段により上記電子化データを送信する際に上記同一ユーザーの連続ジョブを同一ファイルとしてグループ化することを特徴としている。
また、本発明のその他の特徴とするところは、上記ＩＣカード内には、個人のＩＤ情報、パスワード情報及びデータの暗号化、復号化用の個人鍵が格納されていることを特徴としている。
また、本発明のその他の特徴とするところは、上記電子化データを暗号化する電子化データ暗号化手段を有し、上記電子化データ暗号化手段は、上記ＩＣカード内に格納されている理鍵により上記電子化データを暗号化することを特徴としている。
また、本発明のその他の特徴とするところは、上記電子化データ生成手段が電子化データを生成する時間を計測する時間計測手段を有し、
上記電子化データ生成手段が上記電子化データを生成する間隔が所定の時間よりも大きくなった場合には上記ジョブグループ化手段によるグループ化を行なわないことを特徴としている。
また、本発明のその他の特徴とするところは、上記電子化データ暗号化手段によって暗号化された電子化データを格納する電子化データ格納手段と、
上記電子化データ格納手段によって格納された暗号データを復号化する復号化手段と、
上記復号化手段によって復号化された電子化データに出力用の画像処理を施す画像処理手段とを有することを特徴としている。
また、本発明のその他の特徴とするところは、上記ユーザー認証手段によるユーザー認証情報は、パスワードまたは指紋認証を含むバイオ認証であることを特徴としている。
また、本発明のその他の特徴とするところは、上記ＩＣカードは接触タイプまたは非接触タイプの何れかであることを特徴としている。
また、本発明のその他の特徴とするところは、上記ジョブグループ化手段によりグループ化されたファイルの構造は、ＩＤのヘッダー情報と、電子化データの中身とからなり、上記電子化データ暗号化手段により暗号化する際には、上記データの中身だけを暗号化することを特徴としている。
また、本発明のその他の特徴とするところは、上記電子化データを送付した時刻の保証、本人であることを証明するための署名、及び送付した電子化データが異なるユーザーに使われないようにする仕組みをいれて、あて先に送信するセキュリティ手段を有することを特徴としている。
【０００７】
本発明の電子化データ認証方法は、個人の認証データが格納されたＩＣカードとデータの授受を行ない、上記ＩＣカードに格納されている個人の認証データに基づき、認証手段を用いてユーザー認証を行なうユーザー認証工程と、
書類をスキャンして電子化データを生成する電子化データ生成工程と、
上記電子化データ生成工程において書類スキャンする操作が連続して行なわれた際に、上記一連のスキャン操作によって生成された複数のジョブについては１まとめにしてグループ化するジョブグループ化工程とを有し、
上記ジョブグループ化工程により１まとめにされた複数のジョブについては、上記認証手段によるユーザー認証をまとめて行なうようにしたことを特徴としている。
【０００８】
本発明のコンピュータプログラムは、個人の認証データが格納されたＩＣカードとデータの授受を行ない、上記ＩＣカードに格納されている個人の認証データに基づき、認証手段を用いてユーザー認証を行なうユーザー認証工程と、書類をスキャンして電子化データを生成する電子化データ生成工程と、上記電子化データ生成工程において書類スキャンする操作が連続して行なわれた際に、上記一連のスキャン操作によって生成された複数のジョブについては１まとめにしてグループ化するジョブグループ化工程とをコンピュータに実行させるコンピュータプログラムであって、
上記ジョブグループ化工程により１まとめにされた複数のジョブについては、上記認証手段によるユーザー認証をまとめて行なうようにしたことを特徴としている。
【０００９】
本発明の記録媒体は、上記に記載のコンピュータプログラムを記録したことを特徴としている。
【発明の効果】
【００１０】
本発明は、複数のジョブと認識される書類の電子化を行なう際に、複数のジョブに亘って個人認証を継続するようにしたので、複数の領収書等を電子申請する場合に、電子申請を行ないたい書類の枚数分だけ１まとめにして個人認証を行なうようにすることができる。これにより、上記複数枚の電子申請を１つのかたまりとして送信することが可能となるので、ユーザーの利便性を向上させることができる。
【発明を実施するための最良の形態】
【００１１】
以下に、図面を参照して本発明の電子化データ認証装置、電子化データ認証方法、コンピュータプログラム及び記録媒体の実施の形態を説明する。
図１は、本発明の特徴をもっともよく表す図面である。ユーザーはＩＣカード７０２もしくは、指紋認証７０３を使用して個人認証を受ける。そして、上記個人認証が終了したら、次に、大画面表示装置７０１にてサービスを受けたい画面を選択する。
【００１２】
次に、紙原稿(領収書等)７１０を複合機(ＭＦＰ)７０４のスキャナを利用して電子化してデジタルデータに変換して、記憶装置７０５(ＨＤ等のメモリ)に格納する。その際に、コインベンダー７０６を活用して課金することも可能である。
【００１３】
上記紙原稿７１０が、複数部存在しており、かつ上記複合機７０４の圧板を利用して書類をスキャンして電子化を行なう場合には、スキャンする毎にジョブが異なるため、上記圧板を使用するごとに認証する必要がある。このため、上述したように、従来は、上記複合機７０４の圧板を利用して複数の書類をスキャンして電子化を行なって電子申請を行なう場合には、複数枚の書類を１まとめにして個人認証することができない問題があった。
【００１４】
上述のような不都合を解消するために、本実施の形態においては、ＩＣカード７０２を複合機７０４に挿入し続けながらスキャンしている場合には連続ジョブを１つのジョブとみなして受け付けるように構成としている。
【００１５】
このような構成としたことにより、個人認証を一度行なえば、上記ＩＣカード７０２を複合機７０４から抜き取らないで紙原稿７１０をスキャンし続ける場合には、以降の個人認証を省略することができる。このようにして、上記紙原稿７１０を必要なだけスキャンしながら電子化データを作成し、上記大画面表示装置７０１にて画面選択を行ない、記憶装置７０５に格納することを続ける。
【００１６】
そして、上記紙原稿７１０をすべて読み込んで、電子化作業が終了した場合、記憶装置７０５において、各ジョブによって読み込まれたデータをユーザーＩＤで１つのグループ化する。さらに、上記グループ化した電子化データを上記記憶装置７０５内に格納する場合には、他人からののぞき、もしくは改ざんを防止するために、暗号化を行って格納するようにしている。
【００１７】
上記暗号化する際の鍵は、本実施の形態においては、上記ＩＣカード７０２内の共通鍵を利用するようにしている。次に、電子化データのグループ化処理及び暗号化処理が終了した電子化ファイルを、ネットワーク７０９を通じて、申請サーバー７０７に送信する。
【００１８】
次に、図２を参照しながら、本実施の形態の電子化データ認証方法の特徴を表すフローチャートである。
【００１９】
図２に示したように、処理が開始されると最初のステップＳ９０１において個人認証を行なう。そして、上記ステップＳ９０１の個人認証の結果を受けて、ユーザーが実施したいジョブの選択をステップＳ９０２にて行なう。次に、ステップＳ９０３に進み、続けてジョブを選択するか否かを判断する。
【００２０】
この判断の結果、続けてジョブを選択する場合はステップＳ９０２に戻り、ジョブを再度選択する。この際、先に説明したように、ＩＣカード７０２等の認証ユニットを挿入し続けることで、電子化データを認証するシステムは連続ジョブであることを理解する。
【００２１】
一方、ステップＳ９０３の判断の結果、続けてジョブを選択しない場合はステップＳ９０４に進む。
ステップＳ９０４においては、前記ジョブが連続ジョブである場合は、前記認証ユニットから取り込んだユーザーＩＤにてグループ化を行なう。
【００２２】
これにより、上記ステップＳ９０２において選択されたジョブが領収書等を電子申請するために、圧板を使用して上記領収書等を電子データに変換するジョブであっても、電子申請を行ないたい書類の枚数分だけ１まとめにして個人認証を行なうようにすることができる。次に、ステップＳ９０５に進み、上記グループ化した複数のジョブを送信する。
【００２３】
次に、複合機７０４から申請サーバー７０７に電子データを送付する仕組みについて、図３を参照しながら説明する。
図３において、８１４は複合機７０４側の処理を表し、８１５は申請サーバー７０７側の処理を表している。申請したいデータ８０１に対して、暗号化処理８０２にて暗号化を施す。
【００２４】
暗号化処理８０２は、３DES(data encryption standard)等の既知の共通鍵暗号化方式に使われる暗号方式を用いることができる。暗号化の鍵は、本実施の形態では、認証に使用されるＩＣカード７０２内の共通鍵を使用する。
【００２５】
次に、hash処理８０６にて、データに対しMD５等の既知のhash関数を用いてhash処理を行なってhash値を求め、求めたhash値を個人の秘密鍵にて暗号化処理８０７して申請サーバー７０７に送信する。
【００２６】
次に、個人の共通鍵８１０を用いて暗号化処理８１１を行ない、個人の共通鍵８１０にて、暗号化処理を行ない、データを復号化するための個人の共通鍵８１０を送付する。
【００２７】
次に、申請サーバー７０７側の処理８１５では、復号化処理８１２において、公開鍵を用いて復号化処理して、個人の共通鍵８１０を取り出す処理８１３を行なう。
【００２８】
その後、上記取り出した個人の共通鍵を用いて、復号化処理８０３において復号化を行ない、受信データ８０４を取り出す。次に、送信でかけた同じhash関数を用いて、hash化処理８０５にて、hash値を算出する。また、送付されてきたhash値を復号化処理８０８にて復号化する。
【００２９】
そして、上記hash化処理８０５にて算出したhash値と、上記復号化処理８０８にて復号化したhash値とをhash値比較処理８０９でhash値同士の比較を行ない、通信路上で、改ざんが行われていないことを確認する。本実施の形態では、公開鍵の取り出しについては、一般的なCA（Certificate Authority：認証局）をたてるやり方でもよく、PGP（Pretty Good Privacy）を使用したやり方でもよく、やり方を問わない。
【００３０】
図４は、同一ＩＤにおけるファイル管理の方法の一例を示す図である。
図４において、６０１は、複合機７０４内部の格納部である記憶装置７０５のデータ構造を示している。図４に示したように、本実施の形態においては、ファイルを格納する際に、ＩＤとファイルの中身とが１つのファイルになっており、ＩＤを示す部分は暗号化せずに、ファイルの中身だけを暗号化するようにしている。これにより、同一ＩＤであれば、前記格納部７０５にてまとめることができる。なお、送信が完了した場合はファイルを消去することで、ファイルの秘匿性を高めている。
【００３１】
図５は、本実施の形態画像形成装置８００の構成例を説明する断面図である。
図５に示したように、本実施の形態の画像形成装置８００は、スキャナ１０、プリンター１１、コントローラ１２等により構成されている。
まず、スキャナ１０の構成を説明する。原稿台ガラス１０１には、原稿自動送り装置１４２から給送された原稿が順次、所定位置に載置されるようになっている。この原稿台ガラス１０１に載置された原稿は、例えばハロゲンランプから構成される原稿照明ランプ１０２により露光される。
【００３２】
１０３，１０４，１０５は走査ミラーであり、光学走査ユニット（リーダコントローラ）１４７に収容され、往復動をしながら、原稿からの反射光をCCDユニット１０６に導く作用を有している。CCDユニット１０６は、原稿からの反射光をCCDに結像させる結像レンズ１０７と、例えばCCDから構成される撮像素子１０８と、撮像素子１０８を駆動CCDドライバ１０９等から構成されている。
【００３３】
また、CCDユニット１０６はリーダコントローラ１４７により制御されている。それにより、撮像素子１０８からの画像信号出力は、例えば８ビットのデジタルデータに変換、シェーディング補正された後、コントローラ１２に入力され、各種の画像処理が行われる。
【００３４】
コントローラ１２の詳細は後述するが、本実施の形態では、操作部１４０、個人認証用のパスワードを入力する画面が存在する。リーダコントローラ１４７、プリンターコントローラ１４６が接続され、操作部からの指示に応じて、スキャナ１０、プリンター１１をコントロールし画像形成動作を行なう。また、外部I/Fとの通信を行なう。
【００３５】
次に、プリンター１１の構成について説明する。
１１０は感光ドラムであり、前露光ランプ１１２によって画像形成に備えて除電される。１１１は、感光ドラム１１０の表面をクリーニングするクリーナーである。１１３は１次帯電器であり、感光ドラム１１０を一様に帯電させる。
【００３６】
１１７は露光手段としてのレーザユニットである。このレーザユニット１１７は、例えば、半導体レーザ等で構成され、画像処理や装置全体の制御を行なうコントローラ１２で処理された画像データに基づいて感光ドラム１１０を露光し、静電潜像を形成する。１１８は現像器であり、黒色の現像剤（トナー）が収容されている。１１９は転写前帯電器であり。感光ドラム１１０上に現像されたトナー像を用紙に転写する前に高圧を印加する。      
【００３７】
また、図５の１２０、１２２、１２４は給紙ユニットであり、各給紙ローラ１２１、１２３、１２５の駆動により、転写用紙が装置内に給送され、レジストローラ１２６の配置位置で一旦停止し、感光ドラム１１０に形成された画像との書き出しタイミングがとられ再給送される。
【００３８】
１２７は転写帯電器であり、感光ドラム１１０に現像されたトナー像を、給送される転写用紙に転写する。１２８は分離帯電器であり、転写動作の終了した転写用紙を感光ドラム１１０により分離する。転写されずに感光ドラム１１０上に残ったトナーはクリーナー１１１によって回収される。
【００３９】
１２９は搬送ベルトであり、転写プロセスの終了した転写用紙を定着器１３０に搬送し、例えば熱によって定着される。１３１はフラッパであり、定着プロセスの終了した転写用紙の搬送パスを、ステイプルソータ１３２または中間トレイ１３７の配置方向のいずれかに制御する。
【００４０】
ステイプルソータ１３２に排紙された用紙は、各ビンに仕分けされ、コントローラ１２からの指示によりステイプル部１４１がステイプルを行なう。１３３〜１３６は、給送ローラであり、一度定着プロセスの終了した転写用紙を中間トレイ１３７に反転（多重）または、非反転（両面）して給送する。１３８は再給送ローラであり、中間トレイ１３７に載置された転写用紙を再度、レジストローラ１２６の配設位置まで搬送する。
【００４１】
図６は、リーダー１０の構成を示している。
図６において、２４はリーダーユニット全体の制御を行なうCPUであり、制御プログラムを記憶した読み取り専用メモリ２６（ROM）からプログラムを順次読み取り、実行する。CPU２４のアドレスバス、データバスはバスドライバ、アドレスデコーダからなる回路２５を介して各負荷に接続されている。また、コントローラ１２のCPU５３と通信を行ない、機器制御を分担して行なう。
【００４２】
２７は、入力データの記憶や作業用記憶領域等として用いる主記憶装置としてのランダムアクセスメモリ（RAM）である。２８はI/Oインターフェースであり、給紙系、搬送系、光学系の駆動を行うモータ類２９、クラッチ類３０、また、搬送される用紙を検知するための紙検知センサ類３１等の装置の各負荷に接続される。１０８、２１，２２，２３から構成される画像制御部３２は画像信号の補正、制御、転送を行っている。ビデオ信号制御２３は、各機能のタイミングを制御し、コントローラ部への画像転送を制御する。
【００４３】
図７は、コントローラ１２の構成例を示したブロック図である。
図７において、５３はCPUを内蔵したコアＩＣ（以下、CPUとする）で、コントローラ１２及び、装置全体を統括的に制御するものである。
【００４４】
本実施の形態においては、上記CPU５３を含むコンピュータシステムにより、ユーザー認証手段、電子化データ生成手段、ジョブグループ化手段、電子化データ暗号化手段等の各手段が構成されている。
【００４５】
上記コアＩＣは各種外部I/Fを持ち、画像の圧縮、伸張部などをも有する。まず、制御手順（制御プログラム）を記憶した読み取り専用メモリ(ROM-DIMM)５１からプログラムを順次読み取り、実行する。
【００４６】
また、CPU５３にはPCIバスを介してI/Oコントローラ６０が接続されている。I/Oコントローラ６０に接続された各負荷とCPU５３との間で実行されるプログラム、PCIバスから各負荷に対応したI/Fに変更する。I/Oコントローラ６０には、HD３０７、EEPROM６５、操作部１４０、RTC（リアルタイムクロック）５９が直接接続されている。また、データバス、アドレスバスを介して画像処理部５５、マスクROM５６、SRAM５７、LCDコントローラ（液晶制御回路）５８が接続されている。
【００４７】
HD３０７は、メモリ容量１０GB程度のハードディスクであり、制御プログラムが格納された領域と、画像の蓄積用として利用される領域に分けられている。制御プログラムは読み取り専用メモリ５１にも格納されているが、こちらは容量が少なく、起動時にのみ使用する。読み取り専用メモリ５１のプログラムによって起動した後は、HD３０７に内蔵されたプログラムを、PCIバスを介してＳＤＲＡＭ５２に転送し、そのプログラムに応じて、機器を制御する。
【００４８】
また、機器の制御プログラムを更新する場合には、IEEE１２８４（５４）を介してPCを接続するか、１０/１００BASE-Tコネクタ６２を介して接続されたPCからプログラムをHD３０７にダウンロードする。
【００４９】
EEPROM６５は、I/Oコントローラ６０に接続されたEEPROMで、この画像形成装置機の仕様、たとえば読み取りスピード、プリントスピード、使用言語などの情報が、予め書き込まれている。RTC５９はリアルタイムクロックであり、時間を示す。不図示の電池により常に、バックアップされている。
【００５０】
操作部１４０は、I/Oコントローラ６０とシリアルの通信を行ない、操作部１４０のキーが押されたことなどを検知する。操作部への表示データは、LCDコントローラ５８に外部バスを介して、書き込まれ、そのデータが操作部１４０に転送されるようになっている。  ＩＣカードリーダー１４１は、I/Oコントローラ６０とUSBI/Fで接続されており、ＩＣカード(スマートカード)を挿入することにより、処理鍵や個人認証のパスワード等がI/Oコントローラ６０を介して５３のCPUに転送される。
【００５１】
マスクROM５６は、フォントデータが格納されたマスクロムであり、操作部表示、用紙への文字出力時などに使用される。SRAM５７は、不図示の電池によりバックアップされており、各種データが蓄積される。画像処理部５５は、画像信号に対する画像処理を行なう。リーダーI/F６３から入力された画像に対するリーダー系の画像処理と、プリンターI/F６４へ画像転送する前のプリンター系の画像処理より構成され、変倍縮小処理、濃度変換、２値化処理、暗号化などを行なう。
【００５２】
さらに、ＣＰＵ５３は、ETHERNET（Ｒ） I/F６１を介して１０/１００BASE-Tコネクタ６２を介してLANに接続されており、外部PCなどとデータの送受信が可能で、スキャナ画像をネットワークを介して送信したり、プリントを行なったりすることができる。IEEE１２８４（５４）は、いわゆるセントロニクスI/Fであり、PCとパラレル接続され、PCとの間でデータの送受信が可能である。
【００５３】
次に、画像の流れを簡単に説明すると、リーダーI/F６３を介して、入力された画像は画像処理部５５で各種画像処理が行なわれる。暗号化を行なう場合は、本ブロックにて暗号化を実施する。CPU５３を介して、ＳＤＲＡＭ５２に入力される。ＳＤＲＡＭ５２に一旦蓄積された画像は、CPU５３により再度読み出され、CPU５３を介して画像処理部５５において画像処理を行ない、プリンターI/F６４を経て、プリンター部へ出力され、用紙に画像形成される。
【００５４】
また、コピーを複数部作成する場合には、入力された画像をＨＤ３０７に蓄え、１部作成するたびにＨＤ３０７から読み出して画像形成を行なう。詳しく説明すると、ＳＤＲＡＭ５２に、一旦蓄積された画像は、CPU５３により読み出され、CPU５３内部の画像圧縮部で圧縮され、ＳＤＲＡＭ５３の別領域に書き込まれる。次に、圧縮された画像は、CPU５３、PCIバス、I/Oコントローラ６０を介してHD３０７に蓄積される。
【００５５】
画像形成時には、HD３０７から読み出された圧縮画像は逆にI/Oコントローラ６０、ＰＣＩバス、ＣＰＵ５３を介してＳＤＲＡＭ５２に書き込まれる。ＳＤＲＡＭ５２から読み出された画像は、ＣＰＵ５３内部の画像伸張部で伸張され、再度ＳＤＲＡＭ５２の別領域に書き込まれる。伸張された画像は、先ほど説明したように、ＣＰＵ５３を介して画像処理部５５に転送され、暗号化された画像信号については本ブロックにて復号化された後、プリンター部へ転送される。
【００５６】
図８に、プリンター１１の構成例を示す。
図８において、７０は、プリンター１１の制御を行なうＣＰＵであり、プリンター１１の制御手順（制御プログラム）を記憶したＲＯＭ７２から順次プログラムを読み取って実行する。ＣＰＵ７０のアドレスバス、データバスはバスドライバ、アドレスデコーダからなる回路７１を介して各負荷に接続されている。また、コントローラ１２のCPU５３とプリンターI/Fを介して接続され、通信を行なう。
【００５７】
７３は、入力データの記憶や作業用記憶領域として用いる主記憶装置としてのランダムアクセスメモリ（ＲＡＭ）である。また、ＲＡＭ７３の全部または一部は電池等によりバックアップされており、本体の電源がオフの状態でも、メモリの内容が保持される。７４はI/Oインターフェースであり、給紙系、搬送系、光学系の駆動を行なうモータ類７６、クラッチ類７７、ソレノイド類７８、また、搬送される用紙を検知するための紙検知センサ類８０、画像形成の高圧制御８１の各負荷に接続される。
【００５８】
さらに、レーザユニット１１７に接続され、レーザユニット１１７から発振されたレーザビームは感光ドラム１１０を照射して露光すると共に、非画像領域においてビーム検知センサ８２（受光センサ）によりレーザ光の発光状態、ビーム位置が検知される。検知信号は、ビデオ信号制御部/タイミング生成部７５に入力され、タイミング同期信号が形成される。生成されたタイミング同期信号はコントローラ部へ出力され、この信号に応じてコントローラは画像データをプリンター部へ転送する。コントローラから転送されてきた画像データはビデオ信号制御部/タイミング生成部７５を介してレーザユニット１１７へ入力され、画像形成が行われる。
【００５９】
図９は、画像データの流れを説明するためのブロック図である。
図９において、リーダー１０内のCCD１０８により電気信号に変換された８ビットの画像信号は、A/Dコンバータ２１により、アナログデータがデジタルデータに変換される。次に、シェーディング補正部３０１によって、画素間のばらつきの補正が行われた後、コントローラの画像処理部５５に入力される。画像処理部５５はリーダー系の画像処理とプリンター系の画像処理により構成されている。
【００６０】
リーダー１０からの画像データは縮小・拡大部９０に入力される。縮小コピー時には画像データの間引きが行われ、拡大コピー時には画像データの補間が行われる。次にエッジ強調部９１では、例えば５×５（５ライン×５画素）のウインドウで２次微分が行なわれる。これにより、画像のエッジが強調される。ＬＵＴ９２は、輝度濃度変換部であり、ＣＣＤ１０８により読み込まれた輝度信号を、プリンター１１に出力するための濃度データにテーブルサーチによって変換する。また、濃度の調整もこの変換テーブルによって行っている。
【００６１】
９３は２値化処理部であり、入力された多ビット（例えば８ビット）の画像データを２値化処理する。後段のメモリに蓄積する際の、画像サイズを少なくしメモリ容量を抑えるためである。２値化処理された画像データは所定の動作時暗号化部９６にて暗号化が施される。暗号化された画像データはＣＰＵ５３を介して画像メモリ５２（ＳＤＲＡＭ）に、一旦蓄積される。
【００６２】
ＣＰＵ５３は、画像メモリ５２を制御し、スキャナからの画像データを受け取り、画像メモリ５２に格納するとともに、画像メモリ５２に格納された画像を読み出し、必要に応じてプリンター系の画像処理が行われる。暗号化部９６で暗号化された場合、復号化部９７にて復号化する。２値データの拡大／縮小部９４では拡大／縮小処理を行ない、濃度変換部９５では２値データの濃度変換を行なう。これらの処理は、主にＰＣからのプリント処理用の画像処理として使用されている。
【００６３】
復号化された画像データはプリンターコントローラ１４６を介してレーザユニット１１７に送られ。用紙に画像形成される。本実施の形態では、暗号化部９６と復号化部９７は感光ドラム１１０にシュリンクされたオプション構成となる。
【００６４】
画像メモリ５２に蓄積された画像は、ＣＰＵ５３内の画像データ圧縮部によって、圧縮処理が行なわれる。圧縮された画像は、I/Oコントローラ６０を介して、ＨＤ３０７に蓄積される。ＨＤ３０７は１０GB程度の容量をもち、数千ページの画像データを蓄積することが可能である。ＨＤ３０７に蓄積された画像を、プリントする場合には、CPU５３内の画像データ伸張部によって、もとのデータに復元され、プリント部へ出力される。画像メモリ５２、ＨＤ３０７間の画像転送に関する詳細は、後述する。また、画像メモリ（ＳＤＲＡＭ５２）に一旦格納された画像データは、ネットワーク（Ethernet（Ｒ））Ｉ／Ｆ６１を介してＬＡＮ３１０へ出力される。このＬＡＮ３１０を介して外部のパソコンやプリンターとネットワークで接続され、データの送受信が行われる。
【００６５】
（本発明の他の実施の形態）
上述した実施の形態の機能を実現するべく各種のデバイスを動作させるように、上記各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６６】
また、この場合、上記ソフトウェアのプログラムコード自体が上述した実施の形態の機能を実現することになり、そのプログラムコード自体、及びそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６７】
また、コンピュータが供給されたプログラムコードを実行することにより、上述の実施の形態の機能が実現されるだけでなく、そのプログラムコードがコンピュータにおいて稼働しているＯＳ（オペレーティングシステム）あるいは他のアプリケーションソフト等と共同して上述の実施の形態の機能が実現される場合にもかかるプログラムコードは本発明の実施の形態に含まれる。
【００６８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【図面の簡単な説明】
【００６９】
【図１】本実施の形態の構成図である。
【図２】実施の形態の電子化データ認証方法の特徴を説明するフローチャートである。
【図３】データを送信する際の仕組みを示す図である。
【図４】格納するファイルデータの中身を示す図である。
【図５】本実施の形態の形態によって構成した画像形成システムを説明する図である。
【図６】スキャナの構成を示すブロック図である。
【図７】実施の形態のコントローラの構成を示す図である。
【図８】プリンター１１の構成を示すブロック図である。
【図９】画像データの流れを示すブロック図である。
【符号の説明】
【００７０】
７０１  大画面表示装置
７０２  ＩＣカード
７０３  指紋認証
７０４  複合機
７０５  記憶装置
７０６  コインベンダー
７０７  申請サーバー
７０８  プリンター
７０９  ネットワーク
７１０  紙原稿
【図１】
2005157879.tif 000003
【図２】
2005157879.tif 000004
【図３】
2005157879.tif 000005
【図４】
2005157879.tif 000006
【図５】
2005157879.tif 000007
【図６】
2005157879.tif 000008
【図７】
2005157879.tif 000009
【図８】
2005157879.tif 000010
【図９】
2005157879.tif 000011